【手続補正書】
【提出日】平成17年10月27日(2005.10.27)
【手続補正１】
【補正対象書類名】特許請求の範囲
【補正対象項目名】全文
【補正方法】変更
【補正の内容】
【特許請求の範囲】
【請求項１】
キトサンが製品上にグラフトされている抗菌ポリオレフィン製品。
【請求項２】
ａ）ポリオレフィン製品を準備する段階と、
ｂ）場合によりポリオレフィン製品表面を清浄にする段階と、
ｃ）ポリオレフィン製品をクロム酸、硫酸またはそれらの組み合わせを含んでなる溶液に接触させる段階と、
ｄ）段階ｃ）のポリオレフィン製品をキトサンを含んでなる溶液に接触させる段階と、
ｅ）段階ｄ）のポリオレフィン製品を分離する段階と、
ｆ）場合により段階ｅ）のポリオレフィン製品を乾燥させる段階
の一連の段階を含んでなる、抗菌ポリオレフィン製品の製造方法。
【請求項３】
ポリオレフィンホモポリマーもしくは共重合体のフィルム、布帛またはフォーム表面を請求項２に記載の方法に従って処理する段階を含んでなる、前記フィルム、布帛またはフォーム表面に抗菌性を付与する方法。
【請求項４】
少なくとも面積で５０％のポリオレフィンホモポリマーまたは共重合体の表面を有する飲料または食品分配系を提供する段階と、請求項２に記載の方法に従って前記表面を処理する段階とを含んでなる、飲料または食品分配系に抗菌性を付与する方法。
【請求項５】
面積で少なくとも５０％のポリオレフィンホモポリマーまたはポリオレフィン共重合体の表面を有する少なくとも１つの包装構成要素を含んでなるパッケージを準備する段階と、請求項２に記載の方法に従って前記包装構成要素を処理する段階とを含んでなり、包装構成要素がライナー、蓋、キャップ、フィルム、トレーおよび容器より成る群から選択される、パッケージに抗菌性を付与する方法。
【請求項６】
面積で少なくとも５０％のポリオレフィンホモポリマーまたはポリオレフィン共重合体の表面を有し、口との接触が意図される製品を準備する段階と、前記製品を請求項２に記載の方法に従って処理する段階とを含んでなり、前記製品が哺乳瓶の乳首、おしゃぶり、矯正装置またはそれらの構成要素、カップ、水飲み用コップ、歯ブラシまたは歯がため玩具であり、前記製品が引き続いて人の口に接触させられる、口との接触が意図される製品に抗菌性を付与する方法。
【請求項７】
面積で少なくとも５０％のポリオレフィンホモポリマーまたはポリオレフィン共重合体の表面を有するアプリケーターを準備する段階と、請求項２に記載の方法に従って前記アプリケーターを処理する段階とを含んでなり、前記アプリケーターがマスカラワンド、化粧ブラシ、点眼器ティップ、アイライナーアプリケーターまたはアイシャドウアプリケーターである、アプリケーターに抗菌性を付与する方法。
【請求項８】
面積で少なくとも５０％のポリオレフィンホモポリマーまたはポリオレフィン共重合体の表面を有するタンポンアプリケーターを準備する段階と、前記タンポンアプリケーターを請求項２に記載の方法に従って処理する段階とを含んでなる、タンポンアプリケーターに抗菌性を付与する方法。
【請求項９】
面積で少なくとも５０％のポリオレフィンホモポリマーまたはポリオレフィン共重合体の表面を有する身体側ライナーを含んでなる個人衛生衣類を準備する段階と、前記身体側ライナーを請求項２に記載の方法に従って処理する段階とを含んでなる、身体側ライナーを含んでなる個人衛生衣類に抗菌性を付与する方法。
【請求項１０】
面積で少なくとも５０％のポリオレフィンホモポリマーまたはポリオレフィン共重合体の表面を有する食品加工装置を準備する段階と、前記表面を請求項２に記載の方法に従って処理する段階とを含んでなり、前記食品加工装置がコンベヤーベルトアセンブリーもしくはその構成要素、一時的もしくは恒久的な食品調製表面、または食品を切断する機械の要素である、食品加工装置に抗菌性を付与する方法。
【請求項１１】
面積で少なくとも５０％のポリオレフィンホモポリマーまたはポリオレフィン共重合体の表面を有する材料を請求項２に記載の方法に従って処理する段階と、前記処理済み材料からシャワーカーテンを製造する段階とを含んでなる、シャワーカーテンに抗菌性を付与する方法。
【請求項１２】
面積で少なくとも５０％のポリオレフィンホモポリマーまたはポリオレフィン共重合体の表面を有するシャワーカーテンを準備する段階と、前記表面を請求項２に記載の方法に従って処理する段階とを含んでなる、シャワーカーテンに抗菌性を付与する方法。
【請求項１３】
面積で少なくとも５０％のポリオレフィンホモポリマーまたはポリオレフィン共重合体の表面を有する電話または携帯電話を準備する段階と、前記表面を請求項２に記載の方法に従って処理する段階とを含んでなる、電話または携帯電話に抗菌性を付与する方法。
【請求項１４】
面積で少なくとも５０％のポリオレフィンホモポリマーまたはポリオレフィン共重合体の表面を有する靴ライナーまたは靴インサートを準備する段階と、前記表面を請求項２に記載の方法に従って処理する段階とを含んでなる、靴ライナーまたは靴インサートに抗菌性を付与する方法。
【請求項１５】
面積で少なくとも５０％のポリオレフィンホモポリマーまたはポリオレフィン共重合体の表面を有するフォームパディングを準備する段階と、前記表面を請求項１３に記載の方法に従って処理する段階とを含んでなる、フォームパディングに抗菌性を付与する方法。
【請求項１６】
面積で少なくとも５０％のポリオレフィンホモポリマーまたはポリオレフィン共重合体の表面を有する医療機器またはインプラントを準備する段階と、前記表面を請求項２に記載の方法に従って処理する段階とを含んでなる、医療機器またはインプラントの表面に抗菌性を付与する方法。
【請求項１７】
面積で少なくとも５０％のポリオレフィンホモポリマーまたはポリオレフィン共重合体の表面を有するヘルスケア製品を準備する段階と、前記表面を請求項２に記載の方法に従って処理する段階とを含んでなる、ヘルスケア製品の表面に抗菌性を付与する方法。
【請求項１８】
請求項１または２に記載のポリオレフィン製品を含んでなる飲料または食品分配系を製造する段階と、飲料または食品を飲料または食品分配系内に導入する段階とを含んでなる、飲料または食品分配系内での微生物生育を低下させる方法。
【請求項１９】
請求項１または２に記載のポリオレフィン製品を含んでなるパッケージまたは包装構成要素を製造する段階と、飲料または食品を前記パッケージ内に導入する段階とを含んでなる、パッケージ内での微生物生育を低下させる方法。
【請求項２０】
請求項１または２に記載のポリオレフィン製品を含んでなる製品を製造する段階と、前記製品を人の口に接触させる段階とを含んでなる、口との接触が意図される前記製品内での微生物生育を低下させる方法。
【請求項２１】
請求項１または２に記載のポリオレフィン製品を含んでなるアプリケーターを製造する段階と、表面に塗布する物質と前記アプリケーターを接触させる段階と、前記物質を前記表面に塗布する段階とを含んでなる、アプリケーター内での微生物生育を低下させる方法。
【請求項２２】
請求項１または２に記載のポリオレフィン製品を含んでなるタンポンアプリケーターを製造する段階と、前記タンポンアプリケーターをその意図される用途のために使用する段階とを含んでなる、タンポンアプリケーターでの微生物生育を低下させる方法。
【請求項２３】
請求項１または２に記載のポリオレフィン製品を含んでなる身体側ライナーを含んでなる個人衛生衣類を製造する段階と、個人衛生衣類をその意図される用途のために使用する段階とを含んでなる、個人衛生衣類での微生物生育を低下させる方法。
【請求項２４】
食品加工装置の表面が請求項１または２に記載のポリオレフィン製品を含んでなるように前記食品加工装置を製造する段階と、装置をその意図される用途で使用して食品を加工する段階とを含んでなり、前記食品加工装置がコンベヤーベルトアセンブリーもしくはその構成要素、一時的もしくは恒久的な食品調製表面、または食品切断機械の要素である、食品加工装置での微生物生育を低下させる方法。
【請求項２５】
請求項１または２に記載のポリオレフィン製品を含んでなるシャワーカーテンを製造する段階と、シャワーをシャワーで意図される用途で吊す段階とを含んでなる、シャワーカーテン上の微生物生育を低下させる方法。
【請求項２６】
請求項１または２に記載のポリオレフィン製品を含んでなる表面を有する電話または携帯電話を製造する段階と、電話または携帯電話を意図される用途で使用する段階とを含んでなる、電話または携帯電話上の微生物生育を低下させる方法。
【請求項２７】
請求項１または２に記載のポリオレフィン製品を含んでなる靴ライナーまたは靴インサートを靴に挿入する段階と、靴を履く段階とを含んでなる、靴の中の微生物生育を低下させる方法。
【請求項２８】
請求項１または２に記載のポリオレフィン製品を含んでなるフォームパディングを製造する段階と、前記パディングをマットもしくはラグの裏材料または椅子張り構成要素として使用する段階とを含んでなる、フォームパディング中の細胞生育を低下させる方法。
【請求項２９】
請求項１または２に記載のポリオレフィン製品を含んでなる医療機器またはインプラントを製造する段階と、医療機器またはインプラントをその医療用途において意図されるように使用する段階とを含んでなる、医療機器またはインプラント上の微生物生育を低下させる方法。
【請求項３０】
請求項１または２に記載のポリオレフィン製品を含んでなる表面を有するヘルスケア製品を製造する段階と、ヘルスケア製品をその意図される用途において患者に接触させる段階とを含んでなる、ヘルスケア製品上の微生物生育を低下させる方法。
【手続補正２】
【補正対象書類名】明細書
【補正対象項目名】００４５
【補正方法】変更
【補正の内容】
【００４５】
実施例４
キトサンの酸化および尿道ステント上へのグラフト
エチレン酢酸ビニルからできた６フレンチ尿道ステントを実施例１と同様に処理した。処理済みステントおよび対照としての未処理ステントをタイベック（Ｔｙｖｅｋ）（登録商標）パウチに詰めてエチレンオキシドガスで滅菌した。次にグラム陽性細菌黄色ブドウ球菌ＡＴＣＣ  ６５３８、グラム陰性細菌大腸菌ＡＴＣＣ  ２５９２２、緑膿菌ＡＴＣＣ  ２７８５３および肺炎桿菌ＡＴＣＣ  ４３５２および酵母鵞口瘡カンジダＡＴＣＣ  １０２３１に対する処理済みステントおよび未処理ステントの抗菌活性をフラスコ振盪試験方法によって求めた。３時間後、処理済みステントは生菌数に３対数の低下を示したのに対し、未処理ステントは測定できる低下を示さなかった。
なお、本発明の主たる特徴及び態様を要約すれば以下のとおりである。
１．  キトサンが製品上にグラフトされている抗菌ポリオレフィン製品。
２．  金属塩、カルボキシル含有ポリマーおよびそれらの組み合わせより成る群から選択される１種もしくはそれ以上の化合物をさらに含んでなる、上記１に記載の抗菌ポリオレフィン製品。
３．  ポリオレフィンがオレフィンホモポリマーである、上記１または２に記載の抗菌ポリオレフィン製品。
４．  オレフィンホモポリマーがポリプロピレンまたはポリエチレンである、上記３に記載の抗菌ポリオレフィン製品。
５．  オレフィンホモポリマーが低密度ポリエチレン（ＬＤＰＥ）、直鎖低密度ポリエチレン（ＬＬＤＰＥ）、超低密度ポリエチレン（ＵＬＤＰＥ）、メタロセンポリエチレン（ＭｅＰＥ）、高密度ポリエチレン（ＨＤＰＥ）および超高分子量ポリエチレン（ＵＨＭＷＰＥ）より成る群から選択される、上記４に記載の抗菌ポリオレフィン製品。
６．  ポリオレフィンがエチレンとビニルエステルの共重合体である、上記１または２に記載の抗菌ポリオレフィン製品。
７．  ビニルエステルが酢酸ビニルである、上記６に記載の抗菌ポリオレフィン製品。
８．  ポリオレフィンがエチレンと、アクリル酸、メタクリル酸、１〜８炭素アルキルアクリレート、１〜８炭素アルキルメタクリレートおよびそれらの混合物より成る群から選択される不飽和酸または酸のエステルとの共重合体である、上記１または２に記載の抗菌ポリオレフィン製品。
９．  ポリオレフィンがエチレン／アクリル酸またはエチレン／メタクリル酸である、上記１または２に記載の抗菌ポリオレフィン製品。
１０．  金属塩が硫酸亜鉛、硫酸銅、硝酸銀、可溶性亜鉛、銅および銀塩より成る群から選択される、上記２に記載の抗菌ポリオレフィン製品。
１１．  カルボキシル含有ポリマーがポリアクリル酸である、上記２に記載の抗菌ポリオレフィン製品。
１２．  容器、点眼器、ティップ、容器キャップ、食品または飲料分配系、アプリケーター、哺乳瓶の乳首、化粧品パッケージまたはおしゃぶりの形態である上記１または２に記載の抗菌ポリオレフィン製品。
１３．  ａ）ポリオレフィン製品を準備する段階と、
ｂ）場合によりポリオレフィン製品表面を清浄にする段階と、
ｃ）ポリオレフィン製品をクロム酸、硫酸またはそれらの組み合わせを含んでなる溶液に接触させる段階と、
ｄ）段階ｃ）のポリオレフィン製品をキトサンを含んでなる溶液に接触させる段階と、
ｅ）段階ｄ）のポリオレフィン製品を分離する段階と、
ｆ）場合により段階ｅ）のポリオレフィン製品を乾燥させる段階
の一連の段階を含んでなる、抗菌ポリオレフィン製品の製造方法。
１４．  段階ｄ）のキトサンを含んでなる溶液が酢酸水溶液である、上記１３に記載の方法。
１５．  酢酸水溶液が０．５〜５容量％である上記１４に記載の方法。
１６．  段階ｄ）のキトサンを含んでなる溶液が０．５〜１．０容量％の酢酸水溶液および１〜３容量％のキトサンを含んでなる、上記１３に記載の方法。
１７．  段階ｄ）のキトサンを含んでなる溶液との接触が５〜３０分間実施される、上記１３に記載の方法。
１８．  ポリオレフィンホモポリマーもしくは共重合体のフィルム、布帛またはフォーム表面を上記１３に記載の方法に従って処理する段階を含んでなる、前記フィルム、布帛またはフォーム表面に抗菌性を付与する方法。
１９．  少なくとも面積で５０％のポリオレフィンホモポリマーまたは共重合体の表面を有する飲料または食品分配系を提供する段階と、上記１３に記載の方法に従って前記表面を処理する段階とを含んでなる、飲料または食品分配系に抗菌性を付与する方法。
２０．  面積で少なくとも５０％のポリオレフィンホモポリマーまたはポリオレフィン共重合体の表面を有する少なくとも１つの包装構成要素を含んでなるパッケージを準備する段階と、上記１３に記載の方法に従って前記包装構成要素を処理する段階とを含んでなり、包装構成要素がライナー、蓋、キャップ、フィルム、トレーおよび容器より成る群から選択される、パッケージに抗菌性を付与する方法。
２１．  前記包装構成要素が押出し、同時押出し、熱成形、射出成形、ラミネーションまたは吹込み成形によって形成される、上記２０に記載の方法。
２２．  前記パッケージ内に飲料または食品を導入する段階をさらに含んでなる、上記２０に記載の方法。
２３．  パッケージが缶、箱、ボトル、ジャー、バッグまたは端の閉じた管である、上記２０に記載の方法。
２４．  前記パッケージ内に化粧品、個人衛生用品、ヘルスケア製品またはそれらの組み合わせを導入する段階をさらに含んでなり、前記化粧品、前記個人衛生用品または前記ヘルスケア製品が口紅、唇の荒れ止めクリーム、アイシャドウ、アイライナー、マスカラ、粉おしろい、バスパウダー、ほお紅、ファンデーション、シャンプー、コンディショナー、デオドラントまたは制汗剤である、上記２０に記載の方法。
２５．  前記パッケージ内にローション、クリーム、パウダー、液体、溶液、懸濁液、カプセルまたは錠剤を導入する段階をさらに含んでなる、上記２０に記載の方法。
２６．  液体、溶液または懸濁液が、離散した液滴または小液滴の噴霧の形態で適用されることが意図される、上記２５に記載の方法。
２７．  前記パッケージが吸入器である、上記２０に記載の方法
２８．  面積で少なくとも５０％のポリオレフィンホモポリマーまたはポリオレフィン共重合体の表面を有し、口との接触が意図される製品を準備する段階と、前記製品を上記１３に記載の方法に従って処理する段階とを含んでなり、前記製品が哺乳瓶の乳首、おしゃぶり、矯正装置またはそれらの構成要素、カップ、水飲み用コップ、歯ブラシまたは歯がため玩具であり、前記製品が引き続いて人の口に接触させられる、口との接触が意図される製品に抗菌性を付与する方法。
２９．  面積で少なくとも５０％のポリオレフィンホモポリマーまたはポリオレフィン共重合体の表面を有するアプリケーターを準備する段階と、上記１３に記載の方法に従って前記アプリケーターを処理する段階とを含んでなり、前記アプリケーターがマスカラワンド、化粧ブラシ、点眼器ティップ、アイライナーアプリケーターまたはアイシャドウアプリケーターである、アプリケーターに抗菌性を付与する方法。
３０．  表面に塗布する物質に前記アプリケーターを接触させる段階と、前記物質を前記アプリケーターに塗布する段階とをさらに含んでなる、上記２９に記載の方法。
３１．  面積で少なくとも５０％のポリオレフィンホモポリマーまたはポリオレフィン共重合体の表面を有するタンポンアプリケーターを準備する段階と、前記タンポンアプリケーターを上記１３に記載の方法に従って処理する段階とを含んでなる、タンポンアプリケーターに抗菌性を付与する方法。
３２．  面積で少なくとも５０％のポリオレフィンホモポリマーまたはポリオレフィン共重合体の表面を有する身体側ライナーを含んでなる個人衛生衣類を準備する段階と、前記身体側ライナーを上記１３に記載の方法に従って処理する段階とを含んでなる、身体側ライナーを含んでなる個人衛生衣類に抗菌性を付与する方法。
３３．  個人衛生衣類がおむつ、失禁衣類または生理用ナプキンである、上記３２に記載の方法。
３４．  身体側ライナーが不織ポリプロピレン布帛を含んでなる、上記３２に記載の方法。
３５．  面積で少なくとも５０％のポリオレフィンホモポリマーまたはポリオレフィン共重合体の表面を有する食品加工装置を準備する段階と、前記表面を上記１３に記載の方法に従って処理する段階とを含んでなり、前記食品加工装置がコンベヤーベルトアセンブリーもしくはその構成要素、一時的もしくは恒久的な食品調製表面、または食品を切断する機械の要素である、食品加工装置に抗菌性を付与する方法。
３６．  面積で少なくとも５０％のポリオレフィンホモポリマーまたはポリオレフィン共重合体の表面を有する材料を上記１３に記載の方法に従って処理する段階と、前記処理済み材料からシャワーカーテンを製造する段階とを含んでなる、シャワーカーテンに抗菌性を付与する方法。
３７．  面積で少なくとも５０％のポリオレフィンホモポリマーまたはポリオレフィン共重合体の表面を有するシャワーカーテンを準備する段階と、前記表面を上記１３に記載の方法に従って処理する段階とを含んでなる、シャワーカーテンに抗菌性を付与する方法。
３８．  面積で少なくとも５０％のポリオレフィンホモポリマーまたはポリオレフィン共重合体の表面を有する電話または携帯電話を準備する段階と、前記表面を上記１３に記載の方法に従って処理する段階とを含んでなる、電話または携帯電話に抗菌性を付与する方法。
３９．  面積で少なくとも５０％のポリオレフィンホモポリマーまたはポリオレフィン共重合体の表面を有する靴ライナーまたは靴インサートを準備する段階と、前記表面を上記１３に記載の方法に従って処理する段階とを含んでなる、靴ライナーまたは靴インサートに抗菌性を付与する方法。
４０．  面積で少なくとも５０％のポリオレフィンホモポリマーまたはポリオレフィン共重合体の表面を有するフォームパディングを準備する段階と、前記表面を上記１３に記載の方法に従って処理する段階とを含んでなる、フォームパディングに抗菌性を付与する方法。
４１．  前記パディングがマットもしくはラグの裏材料または椅子張り構成要素である、上記４０に記載の方法。
４２．  面積で少なくとも５０％のポリオレフィンホモポリマーまたはポリオレフィン共重合体の表面を有する医療機器またはインプラントを準備する段階と、前記表面を上記１３に記載の方法に従って処理する段階とを含んでなる、医療機器またはインプラントの表面に抗菌性を付与する方法。
４３．  前記医療機器またはインプラントがカテーテルである、上記４２に記載の方法。
４４．  面積で少なくとも５０％のポリオレフィンホモポリマーまたはポリオレフィン共重合体の表面を有するヘルスケア製品を準備する段階と、前記表面を上記１３に記載の方法に従って処理する段階とを含んでなる、ヘルスケア製品の表面に抗菌性を付与する方法。
４５．  前記ヘルスケア製品が包帯、ガーゼ片またはガーゼパッド、医用もしくは外科用ドレープ、ガウン、頭部覆い、マスクまたは手袋、シリンジホルダー、ＩＶチュービングまたはＩＶバッグである、上記４４に記載の方法。
４６．  上記１または２に記載のポリオレフィン製品を含んでなる飲料または食品分配系を製造する段階と、飲料または食品を飲料または食品分配系内に導入する段階とを含んでなる、飲料または食品分配系内での微生物生育を低下させる方法。
４７．  上記１または２に記載のポリオレフィン製品を含んでなるパッケージまたは包装構成要素を製造する段階と、飲料または食品を前記パッケージ内に導入する段階とを含んでなる、パッケージ内での微生物生育を低下させる方法。
４８．  パッケージが缶、箱、ボトル、ジャー、バッグまたは端の閉じた管であり、包装構成要素がライナー、蓋、キャップ、フィルム、トレーおよび容器より成る群から選択される、上記２０に記載の方法。
４９．  化粧品、個人衛生用品、ヘルスケア製品またはそれらの組み合わせを前記パッケージ内に導入する段階をさらに含んでなる、上記４８に記載の方法。
５０．  ローション、クリーム、パウダー、液体、溶液、懸濁液、カプセルまたは錠剤を前記パッケージ内に導入する段階をさらに含んでなる、上記４８に記載の方法。
５１．  前記パッケージが吸入器である、上記４８に記載の方法。
５２．  上記１または２に記載のポリオレフィン製品を含んでなる製品を製造する段階と、前記製品を人の口に接触させる段階とを含んでなる、口との接触が意図される前記製品内での微生物生育を低下させる方法。
５３．  前記製品が哺乳瓶の乳首、おしゃぶり、矯正装置またはそれらの構成要素、カップ、水飲み用コップ、歯ブラシまたは歯がため玩具である、上記５２に記載の方法。
５４．  上記１または２に記載のポリオレフィン製品を含んでなるアプリケーターを製造する段階と、表面に塗布する物質と前記アプリケーターを接触させる段階と、前記物質を前記表面に塗布する段階とを含んでなる、アプリケーター内での微生物生育を低下させる方法。
５５．  前記アプリケーターがマスカラワンド、化粧ブラシ、点眼器ティップ、アイライナーアプリケーターまたはアイシャドウアプリケーターである、上記５４に記載の方法。
５６．  上記１または２に記載のポリオレフィン製品を含んでなるタンポンアプリケーターを製造する段階と、前記タンポンアプリケーターをその意図される用途のために使用する段階とを含んでなる、タンポンアプリケーターでの微生物生育を低下させる方法。
５７．  上記１または２に記載のポリオレフィン製品を含んでなる身体側ライナーを含んでなる個人衛生衣類を製造する段階と、個人衛生衣類をその意図される用途のために使用する段階とを含んでなる、個人衛生衣類での微生物生育を低下させる方法。
５８．  個人衛生衣類がおむつ、失禁衣類、生理用ナプキンまたはスポーツパッドである、上記５７に記載の方法。
５９．  身体側ライナーが不織ポリプロピレン布帛を含んでなる、上記５７に記載の方法。
６０．  食品加工装置の表面が上記１または２に記載のポリオレフィン製品を含んでなるように前記食品加工装置を製造する段階と、装置をその意図される用途で使用して食品を加工する段階とを含んでなり、前記食品加工装置がコンベヤーベルトアセンブリーもしくはその構成要素、一時的もしくは恒久的な食品調製表面、または食品切断機械の要素である、食品加工装置での微生物生育を低下させる方法。
６１．  上記１または２に記載のポリオレフィン製品を含んでなるシャワーカーテンを製造する段階と、シャワーをシャワーで意図される用途で吊す段階とを含んでなる、シャワーカーテン上の微生物生育を低下させる方法。
６２．  上記１または２に記載のポリオレフィン製品を含んでなる表面を有する電話または携帯電話を製造する段階と、電話または携帯電話を意図される用途で使用する段階とを含んでなる、電話または携帯電話上の微生物生育を低下させる方法。
６３．  上記１または２に記載のポリオレフィン製品を含んでなる靴ライナーまたは靴インサートを靴に挿入する段階と、靴を履く段階とを含んでなる、靴の中の微生物生育を低下させる方法。
６４．  上記１または２に記載のポリオレフィン製品を含んでなるフォームパディングを製造する段階と、前記パディングをマットもしくはラグの裏材料または椅子張り構成要素として使用する段階とを含んでなる、フォームパディング中の細胞生育を低下させる方法。
６５．  上記１または２に記載のポリオレフィン製品を含んでなる医療機器またはインプラントを製造する段階と、医療機器またはインプラントをその医療用途において意図されるように使用する段階とを含んでなる、医療機器またはインプラント上の微生物生育を低下させる方法。
６６．  前記医療機器またはインプラントがカテーテルである、上記６５に記載の方法。
６７．  上記１または２に記載のポリオレフィン製品を含んでなる表面を有するヘルスケア製品を製造する段階と、ヘルスケア製品をその意図される用途において患者に接触させる段階とを含んでなる、ヘルスケア製品上の微生物生育を低下させる方法。
６８．  前記ヘルスケア製品が包帯、ガーゼ片またはガーゼパッド、医用もしくは外科用ドレープ、ガウン、頭部覆い、マスクまたは手袋、シリンジホルダー、ＩＶチュービングまたはＩＶバッグである、上記６７に記載の方法。